【手続補正書】
【提出日】平成19年3月19日(2007.3.19)
【手続補正１】
【補正対象書類名】明細書
【補正対象項目名】００１０
【補正方法】変更
【補正の内容】
【００１０】
狭持部３は、図１に示す実施例では、医療用器具３５と骨４０を挟持するためのクランプとなっている。狭持部３は、上述した挟持部形成部３ａと挟持部形成部３ｂにより構成されている。また、挟持部３は、図１，図２に示すように、前方に形成された前側挟持部形成部３ａと後方に形成された後側挟持部形成部３ｂからなり、前側挟持部形成部３ａもしくは後側挟持部形成部３ｂが前後にスライドすることにより、挟持部形成部間に骨４０及び医療用器具３５を挟持するものである。本発明の実施例では、後方に形成された挟持部形成部３ｂが前後にスライドすることにより、骨４０及び医療用器具３５を挟持するものとなっている。
挟持部形成部３ａと挟持部形成部３ｂの内側形状は、挟持対象となる医療用器具３５を骨に対して確実に保持可能な構成をしていればいかなる形状であってもよい。本発明の実施例において、挟持部形成部３ａ，３ｂの内側形状は、大腿骨４０の外側面４２に医療用プレート３５を密着させた状態で、骨４０及び医療用器具３５を狭持可能な形状をしていればよい。本発明の実施例では、挟持部形成部３ａ，３ｂの内側形状は、大腿骨４０の側面４２を確実に挟持可能な湾曲形状となっている。
【手続補正２】
【補正対象書類名】明細書
【補正対象項目名】００１８
【補正方法】変更
【補正の内容】
【００１８】
後端側部分５は、図１に示すように、連結部７ｂと、調節部６とを備えている。調節部６は、図１に示すように、挟持部形成部３ｂに押圧力もしくは牽引力を付加するための付加部１９と、付加部１９を支持するための支持部１７とからなる。本発明の実施例において、調節部６は、後側の挟持部形成部３ｂに押圧力もしくは牽引力を付加することにより、挟持部３の挟持状態を調節するものとなっている。支持部１７は、後端側部分５の基端部に設けられている。後側部分５の先端部及び基端部を除く部分は、縦長の平板部５ａとなっている。平板部５ａの幅及び厚みは、前側部分２の平板部１２ａの幅及び厚みとほぼ同じとなっている。医療用器具１は、図１に示すように、前側部分２と後側部分５とが連結した状態において、前側部分２と後側部分５とが、ほぼ同軸上となることが好ましい。
【手続補正３】
【補正対象書類名】明細書
【補正対象項目名】００１９
【補正方法】変更
【補正の内容】
【００１９】
支持部１７は、後端側部分５の平板部５ａの下側に設けられている。本発明の実施例において、支持部１７には、内面にねじ溝が形成された貫通路２１が形成されている。貫通路２１は、支持部１７を軸方向に貫通している。貫通路２１は、上述した前側部分２の挿入路８ａと同軸上に形成されている。このため、貫通路２１に支持された付加部１９の先端部は、挿入路８ａに挿入可能となっている。
【手続補正４】
【補正対象書類名】明細書
【補正対象項目名】００２２
【補正方法】変更
【補正の内容】
【００２２】
調節部６（付加部１９）は、図１に示すように、固定部４により固定されていない状態で、前側部分２と接続して挟持部３による挟持を調節可能なものであり、かつ固定部４により固定された状態で、前側部分２から取り外し可能となっていることが好ましい。
本発明の実施例においては、固定部４により固定されていない状態で、接続部８の係合部８ｂと接続部１８の係合部２３とが係合していることにより、調節部６により挟持部３の挟持が調節可能である。一方、固定部４により狭持状態が固定された状態で、付加部１９を後方に進行させることにより、上述したように、係合部８と係合部２３との係合が解除されるため、前側部分２から取り外し可能となっている。本発明において前側部分２と調節部６（付加部１９）は、固定部４により固定されていない状態では解除されず、固定部４により固定されている状態で解除可能な程度の接続力により接続されていることが好ましい。
【手続補正５】
【補正対象書類名】明細書
【補正対象項目名】００２５
【補正方法】変更
【補正の内容】
【００２５】
本発明の実施例の連結部７は、図６に示すように、前側部分２の基端部に設けられた前側嵌合部７ａと、後側部分の先端部に設けられた後側嵌合部７ｂとにより構成されている。前側嵌合部７ａと後側嵌合部７ｂは、互いに対応する形状となっている。前側嵌合部７ａは、上側部材１２の平板部１２ａの下側部分と連続する平板部２５と、平板部２５の上面に軸方向とは直交する方向に設けられた断面が略楕円形状の２本のリブ２６とからなる。後側嵌合部７ｂは、後側部材５の平板部５ａの上側部分と連続する平板部２７と平板部２７の下面に設けられた２本のリブに対応する形状の溝部２８とからなる。本発明の実施例の嵌合部７は、直交する横方向からスライドさせて嵌合させるものである。
【手続補正６】
【補正対象書類名】明細書
【補正対象項目名】００２６
【補正方法】変更
【補正の内容】
【００２６】
また、嵌合部２９としては、以下に示すような軸方向に対して直交する上下方向から嵌合し合う構成を有していてもよい。嵌合部２９は、前側部分２の基端部に設けられた前側嵌合部２９ａと、後側部分５の先端部に設けられた後側嵌合部２９ｂにより構成されている。前側嵌合部２９ａと後側嵌合部２９ｂは、互いに対応する形状となっている。前側嵌合部２９ａは、上側部材１２の平板部１２ａの下側部分と連続する平板部３２と、平板部３２の上面に設けられた軸方向に配置された２つの円柱状の突出部３１とからなる。また、後側嵌合部２９ｂは、後側部材の平板部５ａの上側部分と連続する平板部３３と平板部３３の下面に設けられた２本のシリンダー状の孔３４とからなる。このような構成により、前側嵌合部２９ａと後側嵌合部２９ｂは、上下方向から嵌合させることができる。これらの２つの実施例の嵌合部は、調節部により押圧力もしくは牽引力が付加される方向とはほぼ直交する方向から嵌合し合う構成をしている。また、これら嵌合部は、調節部により付加される押圧力もしくは牽引力により医療用器具が曲がらないような構成をしている。
【手続補正７】
【補正対象書類名】明細書
【補正対象項目名】００３０
【補正方法】変更
【補正の内容】
【００３０】
コーティカルスクリュー固定操作後、再び、後側部分５を前側部分２に連結して、固定部４による固定を解除して、操作部３６を反対方向に回転させることにより、大腿骨４０及びチューブプレート３５の狭持を解除し、医療用器具１を取り外す。これにより、チューブプレート３５の固定操作が終了する。なお、コーティカルスクリュー固定操作後に、後側部分を再び取り付けずに、固定部４の固定を解除して、固定用ハンドル２４を後方にスライドさせることにより挟持を解除して医療用器具１を取り外してもよい。また、固定部４を最初から前側部分２に取りつけたまま上記と同様の操作を行ってもよい。
【手続補正８】
【補正対象書類名】明細書
【補正対象項目名】００３１
【補正方法】変更
【補正の内容】
【００３１】
【図１】図１は、本発明の実施例である医療用器具保持具の斜視図である。
【図２】図２は、図１に示す医療用器具保持具の側面図である。
【図３】図３は、図２に示す医療用器具保持具の部分拡大図である。
【図４】図４は、図１に示す医療用器具保持具の上面図である。
【図５】図５は、図１に示す医療用器具保持具の底面図である。
【図６】図６は、図１に示す医療用器具保持具の前側部分と後側部分を分離した状態図である。
【図７】図７は、本発明の他の実施例の医療用器具保持具を構成する連結部を示す図である。
【図８】図８は、医療用器具保持具の使用方法を説明するための説明図である。
【手続補正９】
【補正対象書類名】図面
【補正対象項目名】図１
【補正方法】変更
【補正の内容】
【図１】
2005278717.tif 000001
【手続補正１０】
【補正対象書類名】図面
【補正対象項目名】図２
【補正方法】変更
【補正の内容】
【図２】
2005278717.tif 000002
【手続補正１１】
【補正対象書類名】図面
【補正対象項目名】図６
【補正方法】変更
【補正の内容】
【図６】
2005278717.tif 000003